(57)【要約】  【課題】  通過帯域の低周波側の減衰極を通過帯域の近傍に設けても、広帯域化による線路の特性インピーダンスの増加を低減し、小型化が容易なフィルタを提供する。  【解決手段】  第１および第２の入出力端子１，２と、基準電位が供給される基準ノード３と、第１の入出力端子１と基準ノード３との間に接続された第１の並列共振線路Ａ１と、第１の入出力端子１と第２の入出力端子２との間に直列接続され、前段から出力された信号が後段に入力される第２〜第４の並列共振線路Ａ２〜Ａ４と、第２の入出力端子２と基準ノード３との間に接続された第５の並列共振線路Ａ５と、第１の入出力端子と第２の入出力端子との間に接続された入出力間インダクタ４とを備えたフィルタである。接地電極に隣接させて、接地される並列共振線路を形成したので、線路の特性インピーダンスの増加が抑制されて誘電体層の厚みが抑制され、小型化（薄型化）が容易である。【選択図】  図１
2008085624.tif 000002
【特許請求の範囲】
【請求項１】
第１および第２の入出力端子と、基準電位が供給される基準ノードと、前記第１の入出力端子と前記基準ノードとの間に接続された第１の並列共振線路と、前記第１の入出力端子と前記第２の入出力端子との間に直列接続され、前段から出力された信号が後段に入力される第２乃至第４の並列共振線路と、前記第２の入出力端子と前記基準ノードとの間に接続された第５の並列共振線路と、前記第１の入出力端子と前記第２の入出力端子との間に接続された入出力端子間インダクタとを備えていることを特徴とするフィルタ。
【請求項２】
対向するように配置された第１および第２の接地電極と、該第１および第２の接地電極間に積層された第１乃至第５の誘電体層と、該第１乃至第５の誘電体層の各層間に形成され、前記第１および第２の接地電極に電気的に接続された短絡端と開放端とを有する第１乃至第４の導体パターンと、前記第１乃至第５の誘電体層のいずれかに形成された第１および第２の入出力端子電極と、前記第１乃至第５の誘電体層のいずれかの層間に、前記第１および第２の入出力端子電極に接続されて形成されている入出力端子間インダクタ電極とを備え、第１の並列共振線路が、前記第１の接地電極および前記第１の導体パターン間に形成され、第２乃至第４の並列共振線路が、前記第１乃至第４の導体パターンの各導体パターン間に形成され、第５の並列共振線路が、前記第２の接地電極および前記第４の導体パターン間に形成され、入出力端子間インダクタが前記入出力端子間インダクタ電極により形成されていることを特徴とするフィルタ装置。
【請求項３】
前記第１乃至第５の並列共振線路の長さ、または前記第１乃至第４の導体パターンの短絡端から開放端までの長さが、通過帯域の中心周波数の波長の１／２以下であることを特徴とする請求項２記載のフィルタ装置。
【請求項４】
前記第１および第４の導体パターンは、前記第２および第３の導体パターンと平面視で重なるように配置されており、かつ前記第２および第３の導体パターンより幅が広いことを特徴とする請求項２または請求項３記載のフィルタ装置。
【請求項５】
前記第１および第２の接地電極と前記第１乃至第４の導体パターンの前記短絡端とが、前記第１乃至第５の誘電体層内に形成された貫通導体または前記第１乃至第５の誘電体層の側面に形成された側面導体により電気的に接続されていることを特徴とする請求項２乃至請求項４のいずれか記載のフィルタ装置。
【発明の詳細な説明】
【技術分野】
【０００１】
本発明は、通過帯域の低周波側および高周波側に減衰極を有するフィルタおよびフィルタ装置に関するものであり、例えば携帯電話や無線ＬＡＮ等の無線通信機器その他の各種通信機器等において使用されるフィルタ装置に関するものである。
【背景技術】
【０００２】
近年、携帯電話機等の移動体通信機器等に使用されるフィルタ装置は、移動体通信機器等の薄型化や小型化の要求に伴い、誘電体同軸型共振器を用いたフィルタから分布定数回路を共振器に用いた積層ストリップラインフィルタへと進展してきている。
【０００３】
また、これらの積層ストリップラインフィルタは、通過周波数帯域の低周波側および高周波側の減衰帯域にそれぞれ減衰極を備えて尖鋭な帯域通過特性を有し、無線通信機などにおいて、所望周波数帯域の信号のみを選択的に通過させるとともに、通過帯域の低周波側および高周波側に近接した信号帯域における不所望信号の混入を防止して、良質の通信を行ない得るようにするために利用されている。
【０００４】
このような従来の積層ストリップラインフィルタとして、例えば、特許文献１に示されたものがある。特許文献１に示された従来の積層ストリップラインフィルタを、図７に回路構成図、図８に透視平面図、図９に断面図として示す。図９（ａ）および（ｂ）はそれぞれ、図８のａ−ａ’線およびｂ−ｂ’線における断面図である。
【０００５】
図７に示すように、従来の積層ストリップラインフィルタは、先端短絡線路111〜115と先端開放線路121〜125とで構成されている。そして、先端短絡線路111と先端開放線路121とが並列に接続されることにより、並列共振線路Ｂ１が形成されている。また、先端短絡線路112と先端開放線路122とが並列に接続されて、並列共振線路Ｂ２が形成されている。また、先端短絡線路113と先端開放線路123とが並列に接続されて、並列共振線路Ｂ３が形成されている。また、先端短絡線路114と先端開放線路124とが並列に接続されて、並列共振線路Ｂ４が形成されている。また、先端短絡線路115と先端開放線路125とが並列に接続されて、並列共振線路Ｂ５が形成されている。
【０００６】
そして、並列共振線路Ｂ２の一方の端子は、並列共振線路Ｂ１を介して接地されるとともに入出力端子の一方が接続され、並列共振線路Ｂ２の他方の端子は、並列共振線路Ｂ３を介して接地されるとともに並列共振線路Ｂ４の一方の端子が接続され、並列共振線路Ｂ４の他方の端子は、並列共振線路Ｂ５を介して接地されるとともに入出力端子の他方が接続されてフィルタを構成している。
【０００７】
この構成において、一般に、フィルタの通過帯域を狭帯域化するためには、接地された並列共振線路Ｂ１，Ｂ３，Ｂ５を形成する先端短絡線路111，113，115の特性インピーダンスＺＬ１ｂ，ＺＬ３ｂ，ＺＬ５ｂと先端開放線路121，123，125の特性インピーダンスＺＣ１ｂ，ＺＣ３ｂ，ＺＣ５ｂとを小さくするか、もしくは入出力端子間に直列に接続された並列共振線路Ｂ２，Ｂ４を形成する先端短絡線路112，114の特性インピーダンスＺＬ２ｂ，ＺＬ４ｂと先端開放線路122，124の特性インピーダンスＺＣ２ｂ，ＺＣ４ｂとを小さくする必要がある。
【０００８】
しかし、狭帯域な通過帯域の近傍の減衰極を通過周波数帯域においてより通過帯域の近傍に移動させるためには、接地された並列共振線路Ｂ１，Ｂ３，Ｂ５の特性インピーダンスを大きくするか、または入出力端子間に直列に接続された並列共振線路Ｂ２，Ｂ４の特性インピーダンスを小さくする必要があり、接地された並列共振線路Ｂ１，Ｂ３，Ｂ５の特性インピーダンスは狭帯域化と相反する傾向にある。
【０００９】
そこで、必要な通過帯域を確保した上でその通過帯域の近傍に減衰極を有する狭帯域化を実現するには、接地された並列共振線路の特性インピーダンスも入出力端子間に直列に接続された並列共振線路の特性インピーダンスも共に小さくし、それらの大きさをそのフィルタ回路の入出力インピーダンスよりも十分小さくすることで、通過帯域の近傍に急峻な減衰極を有する狭帯域なフィルタを実現していた。
【特許文献１】特開平10−276005号公報
【発明の開示】
【発明が解決しようとする課題】
【００１０】
しかしながら、近年の情報伝送容量の増加に伴い、無線通信機器は従来の周波数帯域では足りなくなり、高周波化と広帯域化とで利用帯域幅を拡張して情報伝送容量を確保するようになってきている。そこで、通過帯域が広く、そして通過帯域の近傍に減衰極を有するフィルタが求められるようになってきている。
【００１１】
このような状況において、従来の積層ストリップラインフィルタでは、通過帯域を広帯域化し、かつ通過帯域の近傍に減衰極を得ようとすると、接地された並列共振線路の特性インピーダンスを大きくする必要がある。そして、接地された並列共振線路の特性インピーダンスを大きくするには、図９に示す誘電体層131，133の厚みを厚くする必要がある。
【００１２】
図11に、接地された線路の特性インピーダンスＺ０と線路幅Ｗと誘電体厚みｈの比との関係を示している。共振器を構成する線路の特性インピーダンスＺ０が大きくなると、構成する線路の厚みが厚くなり、積層基板の厚みの増大を招くという問題があった。
【００１３】
また、近年様々な新しい通信システムが登場してきており、異なるシステムの通過帯域が近接してきており、通過帯域のより近傍に減衰極を持つ（急峻度を増した）フィルタが望まれるようになった。しかしながら、従来のフィルタでは、通過帯域のより近傍に減衰極を設けようとすると、共振器を構成する線路の特性インピーダンスをより大きくする必要があり、それによって構成する線路の厚みが厚くなり、積層基板の厚みの更なる増大を招くという問題があった。
【００１４】
本発明は、上記問題点に鑑みて案出されたものであり、その目的は、通過帯域の低周波側の近傍に第１の減衰極を、高周波側の近傍に第２の減衰極を有する周波数帯域特性を持つフィルタにおいて、フィルタの通過帯域の広帯域化による線路の特性インピーダンスの増加が低減されて小型化（特に薄型化）が容易であり、かつ通過帯域より低周波側の通過帯域のより近傍に第１の減衰極を設けることができるフィルタおよびフィルタ装置を提供することにある。
【課題を解決するための手段】
【００１５】
本発明のフィルタは、通過帯域の低周波側の近傍に第１の減衰極を、高周波側の近傍に第２の減衰極を有する周波数帯域特性を持つフィルタであって、第１および第２の入出力端子と、基準電位が供給される基準ノードと、前記第１の入出力端子と前記基準ノードとの間に接続された第１の並列共振線路と、前記第１の入出力端子と前記第２の入出力端子との間に直列接続され、前段から出力された信号が後段に入力される第２乃至第４の並列共振線路と、前記第２の入出力端子と前記基準ノードとの間に接続された第５の並列共振線路と、前記第１の入出力端子と前記第２の入出力端子との間に接続された入出力端子間インダクタとを備えていることを特徴とするものである。
【００１６】
本発明のフィルタ装置は、上記構成のフィルタを形成したフィルタ装置であって、対向するように配置された第１および第２の接地電極と、該第１および第２の接地電極間に積層された第１乃至第５の誘電体層と、該第１乃至第５の誘電体層の各層間に形成され、前記第１および第２の接地電極に電気的に接続された短絡端と開放端とを有する第１乃至第４の導体パターンと、前記第１乃至第５の誘電体層のいずれかに形成された第１および第２の入出力端子電極と、前記第１乃至第５の誘電体層のいずれかの層間に、前記第１および第２の入出力端子電極に接続されて形成されている入出力端子間インダクタ電極とを備え、第１の並列共振線路が、前記第１の接地電極および前記第１の導体パターン間に形成され、第２乃至第４の並列共振線路が、前記第１乃至第４の導体パターンの各導体パターン間に形成され、第５の並列共振線路が、前記第２の接地電極および前記第４の導体パターン間に形成され、入出力端子間インダクタが前記入出力端子間インダクタ電極により形成されていることを特徴とするものである。
【００１７】
また、本発明のフィルタ装置は、上記構成において、前記第１乃至第５の並列共振線路の長さ、または前記第１乃至第４の導体パターンの短絡端から開放端までの長さが、通過帯域の中心周波数の波長の１／２以下であることを特徴とするものである。
【００１８】
また、本発明のフィルタ装置は、上記構成において、前記第１および第４の導体パターンは、前記第２および第３の導体パターンと平面視で重なるように配置されており、かつ前記第２および第３の導体パターンより幅が広いことを特徴とするものである。
【００１９】
また、本発明のフィルタ装置は、上記構成において、前記第１および第２の接地電極と前記第１乃至第４の導体パターンの短絡端とが、前記第１乃至第５の誘電体層内に形成された貫通導体または前記第１乃至第５の誘電体層の側面に形成された側面導体により電気的に接続されていることを特徴とするものである。
【発明の効果】
【００２０】
本発明のフィルタによれば、通過帯域の低周波側の近傍に第１の減衰極を、高周波側の近傍に第２の減衰極を有する周波数帯域特性を持つフィルタであって、第１および第２の入出力端子と、基準電位が供給される基準ノードと、第１の入出力端子と基準ノードとの間に接続された第１の並列共振線路と、第１の入出力端子と第２の入出力端子との間に直列接続され、前段から出力された信号が後段に入力される第２乃至第４の並列共振線路と、第２の入出力端子と基準ノードとの間に接続された第５の並列共振線路とを備えていることから、広帯域化による線路の特性インピーダンスの増加を低減でき、特性インピーダンスの増加による誘電体層の厚みの増加を低減できるとともに、小型化が容易なフィルタを提供することができる。
【００２１】
また、本発明のフィルタによれば、第１の入出力端子と第２の入出力端子との間に接続された入出力端子間インダクタを備えていることから、第１および第２の入出力端子間を伝送される信号について、入出力端子間インダクタが位相を遅らせるように働く。そのため、通過帯域の低周波側において信号の位相を遅らせて、通過帯域により近い周波数で減衰させることができ、通過帯域のより近傍に第１の減衰極を設けることが可能となる。
【００２２】
よって、フィルタの通過帯域の広帯域化に伴う線路の特性インピーダンスの増加を低減することが可能で、小型化が容易であり、かつ通過帯域より低周波側の通過帯域のより近傍に第１の減衰極を設けることが容易なフィルタを提供することができる。
【００２３】
また、本発明のフィルタ装置によれば、上記構成の本発明のフィルタを備えたものであって、第１の並列共振線路が第１の接地電極および第１の導体パターン間に形成され、第２乃至第４の並列共振線路が第１乃至第４の導体パターンの各導体パターン間に形成され、第５の並列共振線路が第２の接地電極および第４の導体パターン間に形成され、第１乃至第５の誘電体層のいずれかの層間において入出力端子間インダクタが入出力端子間インダクタ電極により形成されていることから、広帯域化に伴う誘電体層の厚さの増大が低減されるため、小型化が容易で、かつ通過帯域より低周波側の近傍に急峻な減衰極を有するフィルタ装置を提供することができる。
【００２４】
また、本発明のフィルタ装置によれば、第１乃至第５の並列共振線路の長さ、または、第１乃至第４の導体パターンの短絡端から開放端までの長さが、通過帯域の中心周波数の波長の１／２以下であるときには、第１乃至第４の導体パターンの長さを抑えることができ、小型化がより容易となる。
【００２５】
また、本発明のフィルタ装置によれば、第１および第４の導体パターンが、第２および第３の導体パターンと平面視で重なるように配置されており、かつ、第２および第３の導体パターンより幅が広いときには、特性劣化の原因となる浮遊容量を低減でき、より高性能なフィルタ装置とすることができる。
【００２６】
また、本発明のフィルタ装置によれば、第１および第２の接地電極と第１乃至第４の導体パターンの短絡端とが、第１乃至第５の誘電体層内に形成された貫通導体または第１乃至第５の誘電体層の側面に形成された側面導体により電気的に接続されているときには、積層された複数の誘電体層の内部に形成するフィルタ装置の設計自由度が向上するとともに、小型で高性能なフィルタ装置とすることができる。
【発明を実施するための最良の形態】
【００２７】
本発明のフィルタおよびフィルタ装置について図面を参照しつつ以下に詳細に説明する。図１は、本発明のフィルタの実施の形態の例を示す回路構成図である。図２〜図４は図１のフィルタを積層構造で構成した本発明のフィルタ装置の実施の形態の一例である。図２は本発明のフィルタ装置の実施の形態の一例を示すフィルタ装置の透視斜視図、図３は本発明のフィルタ装置の実施の形態の一例を示すフィルタ装置を平面視した（積層方向から見た）透視平面図、図４（ａ）は図３におけるａ−ａ’線断面図、図４（ｂ）は図３におけるｂ−ｂ’線断面図である。
【００２８】
図１において、11〜15は第１〜第５の先端短絡線路、21〜25は第１〜第５の先端開放線路であり、第１の先端短絡線路11と第１の先端開放線路21とが並列に接続されて第１の並列共振線路Ａ１が形成され、第２の先端短絡線路12と第２の先端開放線路22とが並列に接続されて第２の並列共振線路Ａ２が形成され、第３の先端短絡線路13と第３の先端開放線路23とが並列に接続されて第３の並列共振線路Ａ３が形成され、第４の先端短絡線路14と第４の先端開放線路24とが並列に接続されて第４の並列共振線路Ａ４が形成され、第５の先端短絡線路15と第５の先端開放線路25とが並列に接続されて第５の並列共振線路Ａ５が形成されている。また、１および２は第１および第２の入出力端子であり、３は基準電位が供給される基準ノード、４は入出力端子間インダクタである。基準電位は、例えば、接地電位ＧＮＤ等である。
【００２９】
本発明のフィルタは、第１の入出力端子１と基準ノード３との間に接続された第１の並列共振線路Ａ１と、第１の入出力端子１と第２の入出力端子２との間に直列接続され、前段から出力された信号が後段に入力される第２乃至第４の並列共振線路Ａ２〜Ａ４と、第２の入出力端子２と基準ノード３との間に接続された第５の並列共振線路Ａ５と、第１の入出力端子１と第２の入出力端子２の間に接続された入出力端子間インダクタ４とを備えている。そして、本発明のフィルタは、伝送線路を介して外部回路に電気的に接続され、第１の入出力端子１、第２の入出力端子２から高周波信号が入出力される。
【００３０】
第１および第２の入出力端子１，２は、高周波信号の入力および出力の端子として用いられる場合と、入力もしくは出力のどちらかに用いられる場合とがある。第１および第２の入出力端子１，２が入力もしくは出力のどちらかに用いられる場合は、例えば、第１の入出力端子１から高周波信号が入力されて、第２の入出力端子２から信号が出力される。
【００３１】
また、図２〜図４において、31は第１の誘電体層、32は第１の誘電体層31の上に積層された第２の誘電体層、33は第２の誘電体層32の上に積層された第３の誘電体層、34は第３の誘電体層33の上に積層された第４の誘電体層、35は第４の誘電体層34の上に積層された第５の誘電体層である。41は第１の誘電体層31の下面に配された第１の接地電極、42は第５の誘電体層35の上面に配された第２の接地電極、51および61はそれぞれ第１および第２の誘電体層31，32の間に配された第１の先端短絡電極および第１の先端開放電極、52および62はそれぞれ第２および第３の誘電体層32，33の間に配された第２の先端短絡電極および第２の先端開放電極、53および63はそれぞれ第３および第４の誘電体層33，34の間に配された第３の先端短絡電極および第３の先端開放電極、54および64はそれぞれ第４および第５の誘電体層34，35の間に配された第４の先端短絡電極および第４の先端開放電極、43は第１の先端開放電極61に接続された第１の入出力端子、44は第４の先端開放電極64に接続された第２の入出力端子、45は第１乃至第５のいずれかの層間に第１および第２の入出力端子に接続されて形成された入出力端子間インダクタ電極である。
【００３２】
そして、第１の先端短絡電極51と第１の先端開放電極61が接続されて短絡端と開放端とを有する第１の導体パターンＭ１が形成され、第２の先端短絡電極52と第２の先端開放電極62が接続されて短絡端と開放端とを有する第２の導体パターンＭ２が形成され、第３の先端短絡電極53と第３の先端開放電極63が接続されて短絡端と開放端とを有する第３の導体パターンＭ３が形成され、第４の先端短絡電極54と第４の先端開放電極64が接続されて短絡端と開放端とを有する第４の導体パターンＭ４が形成されている。
【００３３】
図１に示した第１の並列共振線路Ａ１が、第１の接地電極41および第１の導体パターンＭ１間に形成されており、第５の並列共振線路Ａ５が第２の接地電極42および第４の導体パターンＭ４間に形成されている。また、図１に示した第２乃至第４の並列共振線路Ａ２〜Ａ４が、第１乃至第４の導体パターンＭ１〜Ｍ４の各導体パターン間に形成されている。
【００３４】
詳細には、第２の並列共振線路Ａ２が第１の導体パターンＭ１および第２の導体パターンＭ２間に形成され、第３の並列共振線路Ａ３が第２の導体パターンＭ２および第３の導体パターンＭ３間に形成され、第４の並列共振線路Ａ４が第３の導体パターンＭ３および第４の導体パターンＭ４間に形成されている。
【００３５】
そして、第１の接地電極41および第１の先端短絡電極51は第１の誘電体層31を挟んで平面視で重なるように平行に配されて第１の先端短絡線路11を構成し、第１および第２の先端短絡電極51，52は第２の誘電体層32を挟んで平面視で重なるように平行に配されて第２の先端短絡線路12を構成し、第２および第３の先端短絡電極52，53は第３の誘電体層33を挟んで平面視で重なるように平行に配されて第３の先端短絡線路13を構成し、第３および第４の先端短絡電極53，54は第４の誘電体層34を挟んで平面視で重なるように平行に配されて第４の先端短絡線路14を構成し、第２の接地電極42および第４の先端短絡電極54は第５の誘電体層35を挟んで平面視で重なるように平行に配されて第５の先端短絡線路15を構成している。
【００３６】
また、第１の接地電極41および第１の先端開放電極61は第１の誘電体層31を挟んで平面視で重なるように平行に配されて第１の先端開放線路21を構成し、第１および第２の先端開放電極61，62は第２の誘電体層32を挟んで平面視で重なるように平行に配されて第２の先端開放線路22を構成し、第２および第３の先端開放電極62，63は第３の誘電体層33を挟んで平面視で重なるように平行に配されて第３の先端開放線路23を構成し、第３および第４の先端開放電極63，64は第４の誘電体層34を挟んで平面視で重なるように平行に配されて第４の先端開放線路24を構成し、第２の接地電極42および第４の先端開放電極64は第５の誘電体層35を挟んで平面視で重なるように平行に配されて第５の先端開放線路25を構成している。
【００３７】
また、入出力端子間インダクタ電極45により入出力端子間インダクタ４が形成されている。
【００３８】
図３では、第１〜第４の先端短絡電極51〜54と第１〜第４の先端開放電極61〜64とについての構成を示すため、第１および第２の接地電極41，42、第１および第２の入出力端子電極43，44、入出力端子間インダクタ電極45を図示から省いている。
【００３９】
また、第１乃至第５の並列共振線路Ａ１〜Ａ５の長さ、または第１乃至第４の導体パターンＭ１〜Ｍ４の短絡端から開放端までの長さが、通過帯域の中心周波数の波長の１／２以下であるものとしている。
【００４０】
さらに、第１および第４の導体パターンＭ１，Ｍ４は、第２および第３の導体パターンＭ２，Ｍ３と平面視で重なるように配置されており、かつ第２および第３の導体パターンＭ２，Ｍ３より幅が広いものとされている。
【００４１】
このような構成の本発明のフィルタおよびフィルタ装置は、第１および第２の接地電極41，42と第１乃至第４の導体パターンＭ１〜Ｍ４の短絡端とが、第１乃至第５の誘電体層31〜35内に形成された貫通導体または第１乃至第５の誘電体層31〜35の側面に形成された側面導体（図示せず）を用いて接続された構成とすることにより、３次元的な配線設計が可能となり、積層された複数の誘電体層の内部に形成するフィルタ装置の設計自由度が向上するので、小型で高性能なフィルタ装置となる。
【００４２】
本発明のフィルタおよびフィルタ装置によれば、第１の入出力端子１と基準ノード３との間に第１の並列共振線路Ａ１が接続され、第１の入出力端子１と第２の入出力端子２との間に第２乃至第４の並列共振線路Ａ２乃至Ａ４が直列接続され、第２の入出力端子２と基準ノード３との間に第５の並列共振線路Ａ５が接続された構成を備えることから、広帯域化による線路の特性インピーダンスの増加を低減できる。そのため、誘電体層31〜35の厚みの増加を低減でき、小型化が容易なフィルタおよびフィルタ装置を提供することができる。以下に、その理由を説明する。
【００４３】
本発明のフィルタの回路構成の先端短絡線路11，先端開放線路21の特性インピーダンスＺＬ１ａ，ＺＣ１ａと従来のフィルタの回路構成の先端短絡線路111，先端開放線路121，先端短絡線路115，先端開放線路125の特性インピーダンスＺＬ１ｂ，ＺＣ１ｂ，ＺＬ５ｂ，ＺＣ５ｂと、低周波側および高周波側の通過帯域の周波数ｆ−１，ｆ＋１、減衰極の周波数ｆ−∞，ｆ＋∞との関係を以下の式に示す。
【数１】
2008085624.tif 000003
【００４４】
【数２】
2008085624.tif 000004
【００４５】
【数３】
2008085624.tif 000005
【００４６】
【数４】
2008085624.tif 000006
【００４７】
【数５】
2008085624.tif 000007
【００４８】
【数６】
2008085624.tif 000008
【００４９】
【数７】
2008085624.tif 000009
【００５０】
本発明のフィルタおよびフィルタ装置（第１のフィルタおよびフィルタ装置）によれば、回路構成の先端短絡線路11，先端開放線路21の特性インピーダンスＺＬ１ａ，ＺＣ１ａは、式（１）、式（２）で示すように、通過帯域の広帯域度ｆｗ１／ｆｔ（≒ｇ／２）に比例して増加し、また、減衰域の急峻度ｆｗ∞／ｆｗ１（≒ｑ）においても高くなるにつれて増加する。従来のフィルタの回路構成の先端短絡線路111，先端開放線路121，先端短絡線路115，先端開放線路125の特性インピーダンスＺＬ１ｂ，ＺＣ１ｂ，ＺＬ５ｂ，ＺＣ５ｂは、式（３）〜（６）で示される。
【００５１】
その結果、式（７）で示すように、本発明のフィルタの回路構成の先端短絡線路11の特性インピーダンスＺＬ１ａは、従来のフィルタの回路構成の線路先端短絡線路111，115の特性インピーダンスＺＬ１ｂ，ＺＬ５ｂより小さくなる。同じく、本発明のフィルタの回路構成の先端開放線路21の特性インピーダンスＺＣ１ａは、従来のフィルタの回路構成の先端開放線路121，125の特性インピーダンスＺＣ１ｂ，ＺＣ５ｂより小さくなる。特に、従来のフィルタの回路構成の先端短絡線路111の特性インピーダンスＺＬ１ｂは、本発明のフィルタの回路構成の先端短絡線路11の特性インピーダンスＺＬ１ａに対し、Ω−１の２乗の項が除算されるため、広帯域度が大きくなるにつれ、その差異が急激に増大する傾向にある。
【００５２】
また、Ω−１の２乗の項は、従来のフィルタの回路構成において、先端短絡線路111，先端開放線路121で構成された並列共振線路Ｂ１の共振周波数として、通過帯域の低周波側の周波数ｆ−１を形成するために、先端短絡線路111の特性インピーダンスＺＬ１ｂの式に除算されることとなる。一方、本発明のフィルタの回路構成において、先端短絡線路11，先端開放線路21で構成された並列共振線路Ａ１の共振周波数は、通過帯域の中心周波数ｆｔを形成するために、先端短絡線路11の特性インピーダンスＺＬ１ａの式にΩｔの２乗の項を形成することになる。ただし、Ωｔの２乗は１であるため、式（１）の通りとなり、先端短絡線路11の特性インピーダンスＺＬ１ａは、先端短絡線路111の特性インピーダンスＺＬ１ｂと比べて少なくともΩ−１の２乗の項の分、大きく低減できることとなる。この効果は広帯域なほど顕著になる。
【００５３】
同様に、接地された並列共振線路15，25等の他の線路においても広帯域化に伴う特性インピーダンスの増加を低減することができる。
【００５４】
したがって本発明のフィルタおよびフィルタ装置は、従来のフィルタに比べて広帯域化に伴う並列共振線路の特性インピーダンスの増加が低減されて誘電体層の厚みの増加が低減されるので、小型化が容易なフィルタおよびフィルタ装置とすることができる。
【００５５】
また、このような本発明のフィルタおよびフィルタ装置において、通過帯域より低周波側の第１の減衰極は、通過帯域の低周波側の近傍に、第１の入出力端子43と第２の入出力端子44との位相差が反転する点すなわちゼロになる点に発現する。本発明のフィルタおよびフィルタ装置では、第１の入出力端子43および第２の入出力端子44に接続されて入出力端子間インダクタ電極45が形成され、この入出力端子間インダクタ電極45により入出力端子間インダクタ４が形成されていることから、第１および第２の入出力端子間43，44を伝送される信号について、入出力端子間インダクタ電極45が位相をより遅らせるように働く。そのため、第１の入出力端子43と第２の入出力端子44との位相差が反転する周波数をより通過帯域に近づけることができるため、通過帯域の低周波側のより近傍に第１の減衰極を設けることが可能となる。
【００５６】
よって、本発明のフィルタおよびフィルタ装置によれば、小型化が容易であり、かつ通過帯域より低周波側の通過帯域のより近傍に第１の減衰極を設けることが容易なフィルタおよびフィルタ装置を提供することができる。
【００５７】
本発明のフィルタ装置に用いる第１〜第５の誘電体層31〜35としては、例えば、アルミナセラミックス，ムライトセラミックス等のセラミックス材料やガラスセラミックス等の無機系材料、あるいは四ふっ化エチレン樹脂（ポリテトラフルオロエチレン；ＰＴＦＥ），四ふっ化エチレン−エチレン共重合樹脂（テトラフルオロエチレン−エチレン共重合樹脂；ＥＴＦＥ），四ふっ化エチレン−パーフルオロアルコキシエチレン共重合樹脂（テトラフルオロエチレン−パーフルテロアルキルビニルエーテル共重合樹脂；ＰＦＡ）等のフッ素樹脂やガラスエポキシ樹脂，ポリイミド等の樹脂系材料等が用いられる。これらの材料による第１〜第５の誘電体層31〜35の形状や寸法（厚みや幅，長さ）は、使用される周波数や用途等に応じて設定される。
【００５８】
本発明のフィルタ装置における第１および第２の接地電極41，42、第１乃至第４の導体パターンＭ１〜Ｍ４、第１および第２の入出力端子43，44、入出力端子間インダクタ電極45は、高周波信号伝送用の金属材料の導体層、例えばＣｕ層、Ｍｏ−Ｍｎのメタライズ層上にＮｉメッキ層およびＡｕメッキ層を被着させたもの、Ｗのメタライズ層上にＮｉメッキ層およびＡｕメッキ層を被着させたもの、Ｃｒ−Ｃｕ合金層、Ｃｒ−Ｃｕ合金層上にＮｉメッキ層およびＡｕメッキ層を被着させたもの、Ｔａ２Ｎ層上にＮｉ−Ｃｒ合金層およびＡｕメッキ層を被着させたもの、Ｔｉ層上にＰｔ層およびＡｕメッキ層を被着させたもの、またはＮｉ−Ｃｒ合金層上にＰｔ層およびＡｕメッキ層を被着させたもの等を用いて、厚膜印刷法あるいは各種の薄膜形成方法やメッキ法等により形成される。その厚みや幅も、伝送される高周波信号の周波数や用途等に応じて設定される。
【００５９】
本発明のフィルタ装置に用いる第１〜第５の誘電体層31〜35の形成にあたっては、例えば誘電体層がガラスセラミックスから成る場合であれば、まず誘電体層となるガラスセラミックスのグリーンシートを準備し、これに所定の打ち抜き加工を施して貫通導体となる貫通孔を形成した後、スクリーン印刷法によりＣｕ等の導体ペーストを貫通孔に充填するとともに、所定の伝送線路パターンおよびその他の導体層のパターンを印刷塗布する。次に、850〜1000℃で焼成を行ない、最後に外表面に露出している導体層上にＮｉメッキおよびＡｕメッキを施す。
【００６０】
図５は、図１〜図４に示す構成の本発明のフィルタ装置のフィルタ特性の代表例を示したものである。また、図10は、図７〜図９に示す従来のフィルタにおいて得られるフィルタ特性を示したものである。
【００６１】
図５において横軸は通過帯域の中心周波数で規格化した周波数ｆ／ｆｔを、縦軸は通過特性（単位：ｄＢ）を、ｆ−１，ｆ＋１は低周波側および高周波側の通過帯域の周波数を、ｆ−∞，ｆ＋∞は低周波側および高周波側の減衰極の周波数を、ｆｗ１は通過帯域幅を、ｆｗ∞は減衰極間の幅を表す。図５のフィルタ特性図から分かるように、本発明のフィルタ装置は、従来のフィルタ装置のフィルタ特性図である図10と比較して、広帯域な特性を有している。
【００６２】
図１〜図４に示す構成の本発明のフィルタおよびフィルタ装置の場合は、広帯域化によって、構成する線路の特性インピーダンスは増加する傾向にあるが、接地された並列共振線路の共振周波数は、従来の構成ではｆ−１を形成するのに対して、通過帯域の中心周波数ｆｔを形成するために、特性インピーダンスの式にΩ−１の２乗の項が除算されることが無い。このため、従来の構成と比較して線路の特性インピーダンスの増加を低減でき、結果として厚みの増加を低減し、小型化が容易なフィルタおよびフィルタ装置を提供することができる。
【００６３】
また、図６において、実線は図１に示す構成の本発明のフィルタにおける挿入特性の例であり、破線は図１に示す構成の本発明のフィルタに対して、その入出力端子間インダクタ４がない構成の場合のフィルタの特性を示す挿入特性の例である。図６において横軸は周波数（単位：ＧＨｚ）を、縦軸は通過特性（単位：ｄＢ）を表す。図６に示す結果より、本発明のフィルタの実施の形態の例では、破線で示す従来の構成のフィルタ特性の例に比べて、低周波側の第１の減衰極をより通過帯域の近傍に設けることができていることが分かる。
【００６４】
このことから、第１の入出力端子１と第２の入出力端子２との間に入出力端子間インダクタ４を設けたことによって、通過帯域の低周波側の第１の減衰極が近づいた（急峻度が増す）際に生じる、線路の特性インピーダンスの増加をより低減でき、高インピーダンス化による厚みの増加を低減し、更なる小型化が容易なフィルタ装置を提供することができることがわかる。
【００６５】
なお、本発明のフィルタ装置は、第１乃至第５の並列共振線路Ａ１〜Ａ５の長さ、つまり、第１乃至第４の導体パターンＭ１〜Ｍ５の短絡端から開放端までの長さが、通過帯域の中心周波数の波長の１／２以下であることが好ましい。
【００６６】
この場合には、第１乃至第４の導体パターンＭ１〜Ｍ５の長さを抑えることができ、小型化がより容易となる。
【００６７】
また、本発明のフィルタ装置は、第１および第４の導体パターンＭ１，Ｍ４が、第２および第３の導体パターンＭ２，Ｍ３と平面視で重なるように配置されており、かつ、第２および第３の導体パターンＭ２，Ｍ３より幅が広いことにより、第２および第３の導体パターンＭ２，Ｍ３と第１および第２の接地電極41，42との間に静電容量が発生することが効果的に防止されるため、特性劣化の原因となる浮遊容量を低減でき、より高性能なフィルタ装置とすることができる。
【００６８】
また、本発明のフィルタ装置は、第１および第２の接地電極41，42と第１乃至第４の導体パターンＭ１〜Ｍ４（第１〜第５の先端短絡電極51〜55）の短絡端とが、第１乃至第５の誘電体層内に形成された貫通導体（図示せず）または第１乃至第５の誘電体層の側面に形成された側面導体（図示せず）により電気的に接続されていることにより、積層された複数の誘電体層の内部に形成するフィルタ装置の設計自由度が向上するとともに、より小型で高性能なフィルタ装置とすることができる。
【００６９】
このような貫通導体や側面導体は、第１〜第４の導体パターンＭ１〜Ｍ４と同様の金属材料を用い、同様の方法で、または誘電体層となる未焼成のセラミック材料にあらかじめ形成しておいた貫通孔内に充填すること等により形成することができる。
【図面の簡単な説明】
【００７０】
【図１】本発明のフィルタの実施の形態の例を示す回路構成図である。
【図２】本発明のフィルタ装置の実施の形態の一例を示すフィルタ装置の透視斜視図である。
【図３】本発明のフィルタ装置の実施の形態の一例を示すフィルタ装置の透視平面図である。
【図４】図３に示す本発明のフィルタ装置の実施の形態の一例の断面図であり、（ａ）はａ−ａ’線断面図、（ｂ）はｂ−ｂ’線断面図である。
【図５】本発明のフィルタ装置における通過特性の例を示す線図である。
【図６】本発明のフィルタにおける通過特性の例を示す線図である。
【図７】従来のフィルタの例を示す回路構成図である。
【図８】従来のフィルタ装置の例を示す透視平面図である。
【図９】図９に示す従来のフィルタ装置の例を示す断面図であり、（ａ）はａ−ａ’線断面図、（ｂ）はｂ−ｂ’線断面図である。
【図１０】従来のフィルタ装置における通過特性の例を示す線図である。
【図１１】接地された線路の特性インピーダンスＺ０と線路幅Ｗと誘電体厚みｈの比との関係図である。
【符号の説明】
【００７１】
１・・・・第１の入出力端子
２・・・・第２の入出力端子
３・・・・基準ノード
４・・・・入出力端子間インダクタ
11・・・・第１の先端短絡線路
12・・・・第２の先端短絡線路
13・・・・第３の先端短絡線路
14・・・・第４の先端短絡線路
15・・・・第５の先端短絡線路
21・・・・第１の先端開放線路
22・・・・第２の先端開放線路
23・・・・第３の先端開放線路
24・・・・第４の先端開放線路
25・・・・第５の先端開放線路
45・・・・入出力端子間インダクタ電極
Ａ１・・・第１の並列共振線路
Ａ２・・・第２の並列共振線路
Ａ３・・・第３の並列共振線路
Ａ４・・・第４の並列共振線路
Ａ５・・・第５の並列共振線路
【図１】
2008085624.tif 000010
【図２】
2008085624.tif 000011
【図３】
2008085624.tif 000012
【図４】
2008085624.tif 000013
【図５】
2008085624.tif 000014
【図６】
2008085624.tif 000015
【図７】
2008085624.tif 000016
【図８】
2008085624.tif 000017
【図９】
2008085624.tif 000018
【図１０】
2008085624.tif 000019
【図１１】
2008085624.tif 000020